(57)【要約】【課題】敏感な先端部を有するたばこ系製品を点火する手段の提供【解決手段】敏感な先端部を有するたばこ系製品を点火するための点火装置であって、第１の表面を有する第１の部分及び第２の表面を有する第２の部分であって、第１及び第２の表面の少なくとも一方が他方の表面に対して移動可能であり、第１及び第２の表面の少なくとも一部が互いに実質的に平行である、第１の表面を有する第１の部分及び第２の表面を有する第２の部分と；第１の部分と第２の部分との間に少なくとも部分的に形成された通路であって、たばこ系製品が挿入されたときにたばこ系製品を受け入れる少なくとも１つの開口部を有する通路と；通路の少なくとも一部の上にコーティングされた研磨剤であって、第１及び第２の表面が互いに所定の距離に手動で配置されたときにたばこ系製品と少なくとも部分的に接触するように構成された研磨剤とを含む点火装置。【選択図】図１
2016514243.tif 000002
【特許請求の範囲】
【請求項１】
敏感な先端部を有するたばこ系製品を点火するための点火装置であって、
第１の表面を有する第１の部分及び第２の表面を有する第２の部分であって、前記第１及び第２の表面の少なくとも一方が、他方の表面に対して移動可能であり、前記第１及び第２の表面の少なくとも一部が、互いに実質的に平行である、第１の表面を有する第１の部分及び第２の表面を有する第２の部分と、
前記第１の部分と前記第２の部分との間に少なくとも部分的に形成された通路であって、前記たばこ系製品が挿入されたときに前記たばこ系製品を受け入れる少なくとも１つの開口部を有する通路と、
前記通路の少なくとも一部の上にコーティングされた研磨剤であって、前記第１及び第２の表面が互いに所定の距離に手動で配置されたときに、前記たばこ系製品と少なくとも部分的に接触するように構成された研磨剤と
を含む、点火装置。
【請求項２】
前記通路は、前記第１の表面と前記第２の表面とが互いに所定の最大距離だけ分離されたときに、最大内径を有し、前記第１の表面と前記第２の表面とが互いに所定の最小距離だけ分離されたときに、最小内径を有する、請求項１に記載の点火装置。
【請求項３】
前記研磨剤は、前記第１の表面と前記第２の表面とが互いに前記所定の最小距離だけ分離されたときに、前記たばこ系製品と少なくとも部分的に接触するように構成される、請求項２に記載の点火装置。
【請求項４】
前記研磨剤は、前記第１の表面と前記第２の表面とが互いに前記所定の最小距離だけ分離されたときに、前記たばこ系製品の敏感な先端部と少なくとも部分的に接触するように構成される、請求項３に記載の点火装置。
【請求項５】
前記第１の部分に対して前記第２の部分から離れる向きの指向性バイアスをかけるように構成されたバイアス力を有するばね機構をさらに含む、請求項１に記載の点火装置。
【請求項６】
前記ばね機構は、板ばねである、請求項５に記載の点火装置。
【請求項７】
前記第１の部分を前記第２の部分に向けて一方向に押し動かすことによって、前記ばね機構の前記バイアス力に、手動で打ち勝つことができる、請求項５に記載の点火装置。
【請求項８】
前記通路内に配置された停止表面をさらに含む、請求項１に記載の点火装置。
【請求項９】
前記研磨剤の少なくとも一部は、前記停止表面の上にコーティングされる、請求項８に記載の点火装置。
【請求項１０】
前記点火装置を容器に取り外し可能に結合するように構成された接着剤をさらに含む、請求項１に記載の点火装置。
【請求項１１】
前記第１及び第２の部分を収容するためのフレームをさらに含む、請求項１に記載の点火装置。
【請求項１２】
前記第１及び第２の表面のうちの少なくとも一方を他方の表面に対して移動させるために手動で駆動可能なボタンをさらに含む、請求項１１に記載の点火装置。
【請求項１３】
前記ボタンが、前記第１及び第２の部分のうちの一方に結合され、前記フレームの開口部を通してのびている、請求項１２に記載の点火装置。
【請求項１４】
敏感な先端部を有するたばこ系製品と、
前記たばこ系製品を内部に保持するための容器と、
前記たばこ系製品の前記敏感な先端部を点火するように構成された点火装置と
を含み、前記点火装置が、
第１の表面を有する第１の部分及び第２の表面を有する第２の部分であって、前記第１及び第２の表面の少なくとも一方が、他方の表面に対して移動可能であり、前記第１及び第２の表面の少なくとも一部が、互いに実質的に平行である、第１の表面を有する第１の部分及び第２の表面を有する第２の部分と、
前記第１の部分と前記第２の部分との間に少なくとも部分的に形成された通路であって、前記たばこ系製品が挿入されたときに前記たばこ系製品を受け入れる少なくとも１つの開口部を有する通路と、
前記通路の少なくとも一部の上にコーティングされた研磨剤であって、前記第１及び第２の表面が互いに所定の距離に手動で配置されたときに、前記たばこ系製品と少なくとも部分的に接触するように構成された研磨剤と
を含む、キット。
【請求項１５】
前記点火装置は、前記第１の部分に対して前記第２の部分から離れる向きの指向性バイアスをかけるように構成されたバイアス力を有するばね機構をさらに含む、請求項１４に記載のキット。
【請求項１６】
前記点火装置の前記ばね機構は、板ばねである、請求項１５に記載のキット。
【請求項１７】
前記点火装置は、前記通路内に配置された停止表面をさらに含む、請求項１４に記載のキット。
【請求項１８】
前記点火装置の前記停止表面は、前記研磨剤によって少なくとも部分的にコーティングされる、請求項１７に記載のキット。
【請求項１９】
前記点火装置は、前記点火装置を容器に取り外し可能に結合するように構成された接着剤をさらに含む、請求項１４に記載のキット。
【請求項２０】
前記点火装置は、前記第１及び第２の部分を収容するためのフレームをさらに含む、請求項１４に記載のキット。
【発明の詳細な説明】
【技術分野】
【０００１】
関連出願の相互参照
本出願は、２０１３年３月１４日に出願された「ＬＩＧＨＴＩＮＧ  ＡＰＰＡＲＡＴＵＳ  ＦＯＲ  ＴＡＢＡＣＣＯ−ＢＡＳＥＤ  ＰＲＯＤＵＣＴＳ」と題する米国非仮特許出願第１３／８０４，３７８号の利益を請求するものであり、この米国特許出願の開示は、ここで参照することにより、その全体が本明細書に援用される。
【０００２】
技術分野
本開示は、着火装置に関し、より具体的には、敏感な先端部を有するたばこ系製品を点火するために使用される着火装置に関する。
【背景技術】
【０００３】
本開示の背景
この節の記載は、単に本開示に関連する背景情報を提供するものであり、従来技術を構成するものとして解釈してはならない。
【０００４】
たばこ製品（たばこ）の製造は、それらの製品を日常的に購入し、消費する多数の消費者を有する主要な産業になっている。たばこ製品は、消費者がたばこ系内容物を効率よく喫煙するための点火源を必要とする。消費者は現在、それらの製品を着火するために、多数の異なる手段を使用している。ガス・ライター、電子ライター、及びマッチは全て、それらの製品内のたばこを点火するための手段として、一般的に使用されている。たばこ系製品の大きな消費者基盤は、当然ながら、点火源の大きな消費者基盤をも生み出した。
【０００５】
現在の点火源には、複数の欠点がある。ガス・ライターは、多くの場合、プラスチック又は金属から作られ、適当な量の燃料を有効な状態に維持しなければならない。ガス・ライターは、風が強い状況や雨が降っている状況では、しばしば、適当な炎を維持しないことがある。燃料が切れると、ライターは、廃棄されるか、又は再充填されなければならない。また、ガス・ライターは、その製造及び動作のために、相当な量の貴重な資源を必要とする。さらに、ライターの使用及び廃棄は、環境に対して相当な悪影響を及ぼす。
【０００６】
たばこ系製品のための点火源としてマッチを使用することも、同様に、多くの望ましくない影響をもたらす。マッチは、周囲の環境の影響を受けやすく、したがって、マッチが濡れている場合、又は風が強い場所で使用される場合、しばしば、マッチを使用することはできない。また、ユーザは、マッチの決まった本数によって制限され、最後のマッチを使用した後、ユーザは、たばこ系製品を着火するための点火手段を持たない。
【０００７】
電子ライターは、非常に効率的であり、かつ再使用可能であるが、通常、たばこを点火するための十分なエネルギーを生成するために、大きなバッテリー、又は頻繁な再充電を必要とする。電子ライターもまた、水により悪影響を受けることがある。さらに、携帯型電子ライターの不適切な廃棄は、有害なバッテリー酸を環境にもたらすことがある。
【０００８】
それらの個別の点火源を利用することによって、たばこ系製品のユーザは、不便を被り、また、場合によっては、危険にさらされることがある。ライター及びマッチは、簡単に紛失され、又は置き忘れられることがある比較的小さな箱に保管される場合がある。さらに、それらの製品の誤使用は、生来的に、消費者にとって危険である。誤使用された点火源は、頻繁に、過失による出火を引き起こしている。マッチやライターの置き忘れられる性質は、未成年者がそうした製品を入手し、不注意により誤って使用し、場合によっては甚大な被害を被る機会を、大幅に増大させる。
【０００９】
最後に、たばこ系製品は、研磨剤に対する打ち付けによる点火を可能にする敏感な先端部を有するように製造される場合がある。これは、点火源をたばこ自体に一対一に結合するものである。従来の設計は、たばこ系製品を収容する包装容器の側に設けられた打撃パッドを利用している。敏感な先端部を点火するための十分な摩擦を生成するために、敏感な先端部は、マッチを着火する場合と同様に、打撃パッドに対して引き下ろされる。たばこ系製品を打撃パッドに対して打ち付けることによりたばこ系製品を着火することは、困難を伴う。なぜなら、先端部を点火しようとしたときに、たばこ系製品が簡単に壊れることがあり、また、打撃パッドが先端部を点火するために必要な研磨クオリティを失うことがあるからである。
【００１０】
たばこ系製品の着火を容易にするための改善された設計が必要とされている。本出願は、当該技術分野におけるそれらの既知の欠点の一部を改善、及び解消することを目的としている。
【００１１】
開示の概要
本開示の一態様によれば、敏感な先端部を有するたばこ系製品を点火するための点火装置が得られる。この態様によれば、点火装置は、第１の表面を有する第１の部分及び第２の表面を有する第２の部分を含み、第１及び第２の表面のうちの少なくとも一方が、他方の表面に対して移動可能である。第１及び第２の表面の少なくとも一部は、互いに実質的に平行である。第１の部分と第２の部分の間に少なくとも部分的に形成された通路があり、通路は、たばこ系製品が挿入されたときにたばこ系製品を受け入れるように構成された少なくとも１つの開口部を有する。さらに、通路は、通路の少なくとも一部の上にコーティングされた研磨剤を有し、研磨剤は、第１及び第２の表面が互いに所定の距離に手動で配置されたときに、たばこ系製品と少なくとも部分的に接触するように構成される。
【００１２】
本開示の他の態様によれば、敏感な先端部を有するたばこ系製品を含むキットが得られる。この実施形態によれば、キットは、たばこ系製品を内部に保持するための容器と、たばこ系製品の敏感な先端部を点火するように構成された点火装置とを含む。点火装置は、第１の表面を有する第１の部分及び第２の表面を有する第２の部分を含み、第１及び第２の表面のうちの少なくとも一方が、他方の表面に対して移動可能である。第１及び第２の表面の少なくとも一部は、互いに実質的に平行である。さらに、第１の部分と第２の部分の間に少なくとも部分的に形成された通路がある。通路は、たばこ系製品が挿入されたときにたばこ系製品を受け入れるように構成された少なくとも１つの開口部を有する。通路の少なくとも一部の上には、研磨剤がコーティングされる。研磨剤は、第１及び第２の表面が互いに所定の距離に手動で配置されたときに、たばこ系製品と少なくとも部分的に接触するように構成される。
【００１３】
添付の図面とともに、本出願の種々の実施形態に関する下記の説明を参照することによって、本出願の上述の態様、及びそれらを獲得する仕方は、より明確になり、また、本出願自体の教示も、より良好に理解されるであろう。
【図面の簡単な説明】
【００１４】
【図１】本開示の教示による、たばこの包装容器に結合された例示的点火装置を示す斜視図である。
【図２】たばこの包装容器から結合解除された、開位置にある例示的点火装置を示す斜視図である。
【図３Ａ】図１の例示的点火装置の分解図である。
【図３Ｂ】図３Ａの例示的点火装置の一部を示す拡大部分斜視図である。
【図４Ａ】開位置にある図１の例示的点火装置の部分断面図である。
【図４Ｂ】図４Ａの例示的点火装置の一部を示す拡大部分斜視図である。
【図５Ａ】閉位置にある図１の例示的点火装置の部分断面図である。
【図５Ｂ】図５Ａの例示的点火装置の一部を示す拡大部分斜視図である。
【図６】本開示の教示による、開位置にあるときの、外装フレームに収容された他の例示的点火装置の斜視図である。
【図７】図６の例示的点火装置の部分断面図である。
【図８Ａ】本開示の教示による、たばこを挿入し、点火するときの、図６の点火装置の一局面を示す図である。
【図８Ｂ】本開示の教示による、たばこを挿入し、点火するときの、図６の点火装置の一局面を示す図である。
【図８Ｃ】本開示の教示による、たばこを挿入し、点火するときの、図６の点火装置の一局面を示す図である。
【図８Ｄ】本開示の教示による、たばこを挿入し、点火するときの、図６の点火装置の一局面を示す図である。
【発明を実施するための形態】
【００１５】
複数の図を通して、対応する参照文字は、対応する部分を指している。本明細書において説明される例は、本出願の種々の実施形態を複数の形で示しているが、以下に開示される実施形態は、網羅的であることを意図するものではなく、また、本出願の範囲を開示される厳密な形に制限するものとして解釈されることを意図するものでもない。
【００１６】
詳細な説明
以下に記載される本出願の種々の実施形態は、網羅的であることを意図するものではなく、また、本出願の教示を下記の詳細な説明に開示される厳密な形に制限することを意図するものでもない。むしろ、実施形態は、当業者が本出願の及び原理及び手法を正しく認識、及び理解することができるように選択され、説明される。
【００１７】
特に定義されない限り、本明細書において使用される技術用語及び科学用語は全て、本出願が属している技術の分野における当業者によって一般的に理解されているものと同じ意味を有している。その目的のために、「たばこ系製品」は、本開示の教示にしたがって点火することが可能な任意のたばこ製品、又は類似の製品を含む。これには、制限はしないが、たばこ、及び葉巻が含まれる。したがって、当業者は、本明細書において、本教示が、たばこ系製品の如何なるそのような使用もをカバーすることを意図していることを、理解し、認識するはずである。さらに、製品の内容をたばこに限定してはならない。当業者は、本明細書の開示をどのように使用すれば、たばこと同様に使用される任意の製品を点火することができるかを、認識することができる。本出願を実施し、又は試験する際には、本明細書に記載したものと類似の、又は同等の如何なる方法及び材料を使用してもよいが、ここでは、特定の方法及び材料について説明する。
【００１８】
図１は、たばこの包装容器１０４を点火装置１０２に結合し、１つのキット、又はユニットを形成することが可能な一つの例示的実施形態を示している。態様によっては、点火装置１０２の上部は、たばこの包装容器１０４の底部寸法と実質的に類似の寸法を有する場合がある。この構成によれば、ユニット１００を容易に輸送することが可能になる。たばこの包装容器１０４に点火装置１０２を結合させることによって、点火装置１０２を備えながらも、同時に、影響を受けやすいたばこ（図示せず）を保管するための手段が得られる。この特定の実施形態は、たばこの包装容器１０４の底部に結合された点火装置１０２を示しているが、本開示が、点火装置をそのような実施形態に制限することは絶対にない。当業者は、どのようにすれば、点火装置１０２を同様に有効な独立型にすることができ、又は種々の表面に結合することができるかを、理解することができる。さらに、当業者は、たばこの容器を、たばこ系製品を内部に収容するように構成された再使用可能な、及び／又は再充填可能な容器に置き換えてもよいことを、理解することができる。
【００１９】
図２は、たばこの包装容器から結合解除された点火装置１０２を示している。この例示的態様によれば、ライター・アセンブリ１０２の第１の部分２０６、及び／又は第２の部分２０８の外側表面上に、粘着ストリップ２０４が配置される場合がある。粘着ストリップは、限定はしないが、例えば、面ファスナー、磁石、両面テープなどを含む複数の異なる接着剤から形成される場合がある。さらに、この特定の実施形態は、粘着ストリップ２０４を第２の部分２０８の上面２２６上に示しているが、当業者は、本開示から外れることなく、粘着ストリップ２０４を任意の１以上の表面上に配置してもよいことを理解することができる。例えば、粘着ストリップ２０４は、第１の側面２１６、第１の底面２２２、第１の上面２２０、第２の側面２１８、又は第２の底面２２４の上に配置される場合がある。さらに、点火装置１０２は、独立型であってもよく、望ましい場合は、たばこの包装容器１０４から離して保管されてもよい。
【００２０】
ライター・アセンブリ１０２の第１の部分２０６及び第２の部分２０８は、それら２つの部分が互いに相対的に移動可能となるような形で結合される場合がある。この態様によれば、第１の側面２１６及び第２の側面２１８は、実質的に平行な平面配置を維持することができ、同時に、第１の上面２２０と第２の上面２２６との間に、実質的に共面配置が維持される場合がある。さらに、第１の端面２２８と第２の端面２３０との間にも、共面配置が維持される場合がある。例えば、第１の部分２０６及び第２の部分２０８は、如何なる他の方向においても実質的にねじれたり、移動したりすることなく、互いに近づく向きに移動可能である場合がある。
【００２１】
第１の部分２０６及び第２の部分２０８は、開示した機能を実現するために十分な如何なる材料から構成されてもよい。プラスチック、金属、木などの材料が、そこに含まれるものと考えるべきである。当業者は、過剰な実験によることなく、開示した実施形態を構成するために、如何なるそのような材料及び成分を使用してもよいことを、認識することができる。したがって、本教示は、それらに限定されることを意図していない。
【００２２】
第１の部分２０６と第２の部分２０８を互いに引き寄せる外力を印加すると、第１の部分２０６と第２の部分２０８との間のギャップ２１４を、大幅に縮小することができる。第２の部分２０６と第２の部分２０８との間のギャップ２１４が大幅に縮小されると、第１の部分２０６と第２の部分２０８との間に、部屋（通路）２１２が形成される場合がある。
【００２３】
部屋の壁の一部とたばこ先端との間の十分な接触が可能である限りは、複数の形状を使用して、部屋２１２を形成してもよい。似たような結果を実現するために、部屋は、矩形、楕円形、三角形、八角形等のような多数の形状を使用して形成されてもよい。さらに、この実施形態を密閉された部屋に限定してはならない。例えば、開示した部屋は、各半分の間に相当なギャップを有する場合があるが、それでも、有効な形で、たばこ先端との間の十分な接触を有することができる。
【００２４】
特定の実施形態によれば、部屋２１２は、内部にたばこ２１０を挿入することが可能な如何なる形を有するように形成されてもよいが、部屋２１２は、実質的に円筒形を有している。本開示のこの態様によれば、部屋２１２は、たばこ２１０の直径よりも僅かに大きな直径を有する場合がある。さらに、第１の部分２０６と第２の部分２０８を一つに引き寄せる力が印加されていない場合、ギャップ２１４は、部屋２１２を分離する場合がある。ギャップ２１４によれば、部屋２１２の壁との最小限の接触で、又はそのような接触なしに、敏感な先端部２１１を有するたばこ２１０を部屋２１２に挿入したり、部屋２１２からたばこ２１０を取り除いたりすることが可能となる場合がある。
【００２５】
図３Ａは、図２の部屋２１２をその個々の部品の形で具体的に示す、点火装置１０２の分解図である。第１の部分２０６の側にある第１の半円形通路３４４、及び第２の部分２０８の側にある第２の半円形通路３４６は、対向して配置され、図２に示した部屋２１２を形成する。第１の半円形通路３４４は、第１の部分２０６の水平方向の長さに沿って中央に配置された第１の分割器３２２を有する場合がある。また、第２の半円形通路３４６は、第２の部分２０８の水平方向の長さに沿って中央に配置された第２の分割器３２１を有する場合がある。第１の分割器３２２は、第１の半円形通路３４４から第１の平坦な内側表面３４０までを実質的に充填することができる。第２の分割器３２１は、第２の半円形通路３４６から第２の平坦な内側表面３４２までを実質的に充填することができる。図２に示したように点火装置１０２が独立したアセンブリである場合、第１の分割器３２２と第２の分割器３２１は、互いに整列され、部屋２１２の中に挿入された敏感な先端部２１１を有するたばこ２１０のための一体型の停止表面を形成する。
【００２６】
本明細書において、第１の分割器３２２及び第２の分割器３２１の厚みは、挿入されたたばこにより印加される圧力に耐えるために十分な構造的一体性しか必要としないものと理解し、認識すべきである。本実施形態において、第１の分割器３２２は、第１の半円形通路３４４を実質的に遮断する場合があり、第２の分割器３２１は、第２の半円形通路３４６を実質的に遮断する場合がある。当業者は、複数の手段をどのように使用すれば、たばこが通路の所望のポイント（例えば、中間点）を超えて挿入されることを禁止することができるかを、理解することができる。ボス、内向きの放射状突起などの手段が、そこに含まれると考えられる。さらに、当業者は、たばこ点火装置の使用のためには、中央停止手段が必要とされない場合があることを理解することができる。
【００２７】
第１の半円形通路３４４は、第１の分割器３２２の付近の位置に研磨剤コーティング３２４を有する場合があり、第２の半円形通路３４６は、第２の分割器３２１の付近の位置に研磨剤コーティング３２５を有する場合がある。本開示の一態様において、たばこの敏感な先端部を十分に点火するために、研磨剤コーティングは、赤燐、粉末ガラス、及び接着剤から構成される場合がある。当業者は、複数の材料、及び材料の組み合わせを点火装置の研磨剤コーティングとしてどのように使用することができるかを、理解することができる。研磨剤コーティングの材料密度は、点火されるたばこの敏感な先端部に対応し、全ての組み合わせがそこに含まれるものと考えなければならない。
【００２８】
第１の部分２０６において、研磨剤コーティング３２４は、第１の分割器３２２の互いに反対方向を向いた壁上に配置することができる。さらに、研磨剤コーティング３２４は、第１の半円形通路３４４の壁上の第１の分割器３２２の両側から外側に拡がる種々の位置に配置することができる。敏感な先端部２１１を有するたばこ２１０の先端が第１の半円形通路３４４の中に配置されたときに、研磨剤コーティング３２４が敏感な先端部２１１を有するたばこ２１０の先端を少なくとも部分的に取り囲むことができるように、研磨剤コーティング３２４は、第１の分割器３２２から十分外側まで、例えば、約１／８インチから約２インチまでの距離だけ外側まで拡がっていてよい。
【００２９】
同様に、第２の部分２０８において、研磨剤コーティング３２５は、第２の分割器３２１の互いに反対方向を向いた壁上に配置することができる。さらに、研磨剤コーティング３２５は、第２の半円形通路３４６の壁上の第２の分割器３２１の両側から外側に拡がる種々の位置に配置することができる。敏感な先端部２１１を有するたばこ２１０の先端が第２の半円形通路３４６の中に配置されたときに、研磨剤コーティング３２５が敏感な先端部２１１を有するたばこ２１０の先端を少なくとも部分的に取り囲むことができるように、研磨剤コーティング３２５は、十分外側まで、例えば、約１／８インチから約２インチまでの距離だけ外側まで拡がっていてよい。
【００３０】
第１の部分２０６と第２の部分２０８が図２に示したように１つに結合されたとき、研磨剤コーティング３２４及び３２５は、第１の分割器３２２及び第２の分割器３２１の付近において部屋２１２を実質的に取り囲むことができる連続した表面を形成する。さらに、たばこ２１０を部屋のいずれの側に挿入し、第１の部分２０６及び第２の部分２０８が実質的に閉位置にある状態で、たばこ２１０を引き出すことによっても、敏感な先端部２１１を有するたばこ２１０を点火することができるように、研磨剤コーティング３２４及び３２５は、第１の分割器３２２と第２の分割器３２１の各側に配設してもよい。
【００３１】
第１の部分２０６及び第２の部分２０８は、１以上のばね機構を収容するための空洞部をさらに形成する場合がある。例えば、本明細書に記載される特定の態様によれば、第１の部分２０６及び第２の部分２０８は、上側板ばね３１０及び下側板ばね３１２を含む場合がある。第１の部分２０６は、上側ばね頂点空洞部３１６、及び下側ばね頂点空洞部３２０を有する場合がある。上側ばね頂点空洞部３１６は、上側レール３０２と第１の上面２２０との間において、第１の平坦な内側表面３４０上に配置される場合がある。下側ばね頂点空洞部３２０は、下側レール３０４と第１の底面２２２との間において、第１の平坦な内側表面３４０上に配置される場合がある。上側ばね頂点空洞部３１６、及び下側ばね頂点空洞部３２０は、互いに実質的に平行である場合があり、第１の平坦な内側表面３４０の少なくとも一部に沿って、水平にのびている場合がある。
【００３２】
上側ばね頂点空洞部３１６の高さは、その中に上側板ばね３１０の一部を配置することが可能となる程度に十分なものであってよく、また、下側ばね頂点空洞部３２０の高さは、その中に下側板ばね３１２の一部を配置することが可能となる程度に十分なものであってよい。上側ばね頂点空洞部３１６の幅、及び下側ばね頂点空洞部３２０の幅は、第１の部分２０６の全幅よりも短くてよい。さらに、上側ばね頂点空洞部３１６の深さは、上側板ばね３１０の性質に対応する場合があり、下側頂点頂点空洞部３２０の深さは、下側板ばね３１２の性質に対応する場合がある。上側ばね頂点空洞部３１６の深さは、開位置にあるときに、上側板ばね３１２の頂点を上側ばね頂点空洞部３１６の中に少なくとも部分的に配置することが可能となるものであってよく、また、下側ばね頂点空洞部３２０の深さは、開位置にあるときに、下側板ばね３１２の頂点を下側ばね頂点空洞部３２０の中に少なくとも部分的に配置することが可能となるものであってよい。
【００３３】
第２の部分２０８は、上側ばね基部空洞部３１４、及び下側ばね基部空洞部３１８を有する場合がある。上側ばね基部空洞部３１４は、上側ロック通路３０６と第２の上面２２６との間において、第２の平坦な内側表面３４２上に配置される場合がある。下側ばね基部空洞部３１８は、下側ロック通路３０８と第２の底面２２４との間において、第２の平坦な内側表面３４２上に配置される場合がある。上側ばね基部空洞部３１４、及び下側ばね基部空洞部３１８は、互いに実質的に平行である場合があり、第２の平坦な内側表面３４２の少なくとも一部に沿って、水平にのびている場合がある。
【００３４】
上側ばね基部空洞部３１４の高さは、その中に上側板ばね３１０を少なくとも部分的に配置することが可能となる程度に十分なものであってよく、下側ばね基部空洞部３１８の高さは、その中に下側板ばね３１２を少なくとも部分的に配置することが可能となる程度に十分なものであってよい。上側ばね基部空洞部３１４の幅、及び下側ばね基部空洞部３１８の幅は、第２の部分２０８の全幅よりも短くてもよい。さらに、上側ばね基部空洞部３１４の深さは、上側板ばね３１０の性質に対応する場合があり、開位置において、上側板ばね３１０の基部を上側ばね基部空洞部３１４の中に少なくとも部分的に収容することが可能となる深さである場合がある。同様に、下側ばね基部空洞部３１８の深さは、下側板ばね３１２の性質に対応する場合があり、開位置において、下側板ばね３１２の基部を下側ばね基部空洞部３１８の中に少なくとも部分的に収容することが可能となる深さである場合がある。
【００３５】
図２の独立型アセンブリに示されるように第１の部分２０６と第２の部分２０８とが１つに結合されるとき、上側ばね頂点空洞部３１６は、上側ばね基部空洞部３１４と整列され、上側板ばね３１０を内部に収容するための空間を形成する。さらに、下側ばね頂点空洞部３２０は、下側ばね基部空洞部３１８と整列され、下側板ばね３１２を内部に収容するための空間を形成する。上側板ばね３１０は、上側ばね頂点空洞部３１６、及び、上側ばね基部空洞部３１４の後壁（図示せず）と実質的に接触した状態に保たれ、同時に、下側板ばね３１２は、下側ばね頂点空洞部３２０、及び、下側ばね基部空洞部３１８の後壁（図示せず）と実質的に接触した状態に保たれる。上側板ばね３１０、及び下側板ばね３１２は、ばね空洞部の後壁に対し、両者を開位置に維持するための十分な力を付与する場合がある。
【００３６】
この特定の実施形態は、板ばねを利用しているが、当業者は、本教示の目的とする機能を実現するために、複数のばね機構及び空洞部をどのように置換することができるかを、理解することができる。本開示は、本明細書に開示される所望の機能を実現するために、片持ばね、コイルばね、ばね座金等のような複数のばね機構を含むものと考えるべきである。さらに、本明細書に記載されるばね装置は、実質的に類似の結果を実現するために、固有の弾力性を有する複数の材料に置き換えてもよい。当業者は、多数のゴム、プラスチック、又は金属材料が、上に開示したばね装置の代わりとして使用されるべき必要な弾力性を有する場合があることを、認識することができる。
【００３７】
第１の部分２０６は、上側レール３０２、及び下側レール３０４を含む場合がある。本開示の特定の態様によれば、上側レール３０２、及び下側レール３０４は、第１の平坦な内側表面３４０から垂直に突出している場合があり、かつ、互いに平行にのびている場合がある。上側レール３０２は、上側ばね頂点空洞部３１６と第１の半円形通路３４４との間に配置される場合がある。さらに、下側レール３０４は、下側ばね頂点空洞部３２０と、第１の半円形通路３４４との間に配置される場合がある。上側レール３０２、及び下側レール３０４は、水平方向において実質的に中央に配置され、第１の平坦な内側表面３４０に沿って、第１の部分２０６の全幅よりも僅かに短い距離にわたってのびている。
【００３８】
上側レール３０２、及び下側レール３０４は、第１の平坦な内側表面３４０から突き出ている半空洞壁３３４上に配置された収縮式ヘッド３３８を含む場合がある。図３Ｂの部分詳細図３０１は、どのような形で、収縮式ヘッド３３８が、半空洞壁３３４の外側部分の位置に上側くさび形部分３４８、及び下側くさび形部分３５０を有する場合があるかを、詳しく示している。上側くさび形部分３４８は、第１の平坦な内側表面３４０に対して実質的に平行な上側内側リップ部３５４を有する場合がある。同様に、下側くさび形部分３５０は、第１の平坦な内側表面３４０に対して実質的に平行な下側内側リップ３５２を有する場合がある。
【００３９】
上側くさび形部分３４８は、上側角度付き接触端３５６を有する場合がある。上側角度付き接触端３５６は、内側リップ部３５４からのびることができ、上側角度付き接触端３５６が収縮式ヘッド３３８の端部に向かってさらに外向きにのびるにしたがって、半空洞壁３３４に向かって内向きに角度を有する場合がある。同様に、下側か角度付き接触端３５８は、下側内側リップ部３５２からのびることができ、下側角度付き接触端３５８が収縮式ヘッド３３８の端部に向かってさらに外向きにのびるにしたがって、半空洞壁３３４に向かって内向きに角度を有する場合がある。半空洞部壁３３４は、上側角度付き接触端３５６、及び下側角度付き接触端３５８に力が加えられたときに、上側くさび形部分３４８、及び下側くさび形部分３５０を内向きに屈曲させることが可能となる程度の十分なギャップを、その内部に有する場合がある。
【００４０】
図３Ａは、どのような形で、第２の部分２０８が、上側レール３０２に対応する上側ロック通路３０６、及び、下側レール３０４に対応する下側ロック通路３０８を含む場合があるかを、詳細に示している。上側ロック通路３０６、及び下側ロック通路３０８は、互いに実質的に平行である場合がある。上側ロック通路３０６は、上側ばね基部空洞部３１４と、第２の半円形通路３４６との間に配置される場合がある。下側ロック通路３０８は、下側ばね基部空洞部３１８と、第２の半円形通路３４６との間に配置される場合がある。さらに、上側ロック通路３０６、及び下側ロック通路３０８は、上側レール３０２、及び下側レール３０４をそれらにそれぞれ適合させることが可能となる程度に十分な開口部を有する場合がある。具体的には、それらの通路は、上側レール３０２を上側ロック通路３０６に取り外し可能に結合させることを可能にするとともに、下側レール３０４を下側ロック通路３０８に取り外し可能に結合させることを可能にする場合がある。
【００４１】
図４Ａは、点火装置１０２の断面図を示している。この断面図は、開位置にある点火装置１０２を示している。さらに、図４Ｂの部分詳細図は、どのような形で、上側レール３０２が、上側ロック通路３０６に取り外し可能に結合されるかを示している。上側ロック通路３０６は、第２の平坦な内側表面３４２において最小スロット幅４０６を有する場合があり、その後ろに増大スロット幅４０４を有する場合がある。最小スロット幅４０６は、上側レール３０２の収縮式ヘッド３３８を、最小スロット幅４０６を通して増大スロット幅４０４の中にまで、力で挿入することが可能となるような十分な幅である場合がある。さらに、半空洞壁３３４は、半空洞壁３３４を最小スロット幅４０６の中で摺動させることが可能となるように、最小スロット幅４０６よりも僅かに小さい厚みを有する場合がある。
【００４２】
収縮式ヘッド３３８は、上側レール３０２が上側ロック通路３０６から取り外されることを防止することができる。収縮式ヘッド３３８が最小スロット幅４０６を通して押し込まれた後、収縮式ヘッド３８８は、増大スロット幅４０４に入ることができる。収縮式ヘッド３３８が増大スロット幅４０４に入った後、上側リップ部３５４、及び下側リップ部３５２は、最小スロット幅４０６と増大スロット幅４０４との間にあるリップ部（図示せず）と対向して整列されることになる場合がある。上側リップ部３５４、及び下側リップ部３５２は、第１の部分２０６が第２の部分２０８から所望の場所よりも遠くまで引き抜かれることを防止するための停止具としての働きをする。さらに、第１の平坦な内側表面３４０から上側リップ部３５４及び下側リップ部３５２までの距離は、第１の部分２０６と第２の部分２０８との間のギャップ２１４の幅の調節に使用される。
【００４３】
図４Ａは、どのようにして、上側板ばね３１０及び下側板ばね３１２によってギャップ２１４の幅を維持することができるかを、詳細に示している。上側板ばね３１０及び下側板ばね３１２は、第１の部分２０６と第２の部分２０８を互いに押し離す力を生成することができる。図４Ｂに示されているように、上側レール３０２及び下側レール３０４上の収縮式ヘッド３３８の上側内側リップ部３５２及び下側内側リップ部３５４が、上側ロック通路３０６及び下側ロック通路３０８の最小スロット幅４０６と増大スロット幅４０４の間にあるリップ部に接触する状態に達すると、上側板ばね３１０及び下側板ばね３１２によって生成された反対向きの力は、抵抗を受ける場合がある。したがって、点火装置１０２に外力が印加されていなければ、第１の部分２０６と第２の部分２０８との間のギャップ２１４は、上側板ばね３１０及び下側板ばね３１２によって維持されることができる。
【００４４】
図５Ａは、閉位置にある第１の部分２０６及び第２の部分２０８を含む断面図を示している。さらに、図５Ｂは、どのようにすれば、第１の部分２０６と第２の部分２０８を１つに引き寄せるために外力が印加されたときに第１の平坦な内側表面３４０と第２の平坦な内側表面３４２を互いに実質的に接触させることが可能となるような十分なギャップ深さ５０２を、増大ギャップ開口部４０４に与えることができるかを示している。ギャップ深さ５０２は、上側レール３０２及び下側レール３０４についての半空洞壁３３４の長さに依存する場合がある。ギャップ深さ５０２は、収縮式ヘッド３３８がロック通路の後壁５０２と接触する前、又は接触しているときに、第１の平坦な内側表面３４０と第２の平坦な内側表面３４２を実質的に接触した状態にすることが可能となるような十分な深さであってよい。下側レール３０４と下側ロック通路３０８の関係について具体的に詳細な説明は開示しないが、当業者は、下側レール３０４及び下側ロック通路３０８についても、どのようにすれば、上側レール３０２と上側ロック通路３０６の関係に関する開示を取り込むことができ、実質的に類似の方法を使用することができるかを、理解することができる。
【００４５】
図６は、本開示による代替実施形態を示し、図中、点火装置は、イン・フレーム実施形態６００の中に配置されている。この特定の実施形態では、第１の部分６０６及び第２の部分６０８を収容するために、外部フレーム６０２が使用される場合がある。外部フレーム６０２は、レール（図３の３０２及び３０４）、及びロック通路（図３の３０６及び３０８）と実質的に類似した機能を実施することができ、同時に、粘着ストリップ６０４のためのプラットフォームとしての働きもする。フレーム６０２は、第１の部分６０６及び第２の部分６０８を内部に配置することが可能な部屋を形成することができる。ボタン６１０が、第１の部分６０６に結合され、フレーム６０２の切り欠き部６１１を通してアクセス可能とされる場合がある。さらに、フレーム６０２は、第１の部分６０６と第２の部分６０８が、互いに真っ直ぐ近づく方向又は離れていく方向以外の如何なる方向にも移動することを、実質的に制限することができる。
【００４６】
図７は、イン・フレーム・アセンブリ６００の断面図を示している。ボタン６１０は、第１の部分６０６に組み込まれる場合があり、フレーム６０２の切り欠き部６１１によって、ボタン６１０へのアクセスが可能とされる場合がある。ボタン６１０は、第１の部分６０６に外力を加えることが可能な位置に配置される場合がある。ボタン６１０に外力が印加された場合、第１の部分６０６及び第２の部分６０８は、１つに引き寄せられる場合がある。この特定の実施形態は、アセンブリの半分のみにボタンを示しているが、当業者は、本開示にしたがって類似の結果が達成されるように適合させることが可能な多数の手段を、理解することができる。各側に設けられたボタンや、内部の両半分に対するアクセスを可能にするためにフレーム設けられたギャップのような手段は、その中に含まれるものと考えるべきである。
【００４７】
イン・フレーム実施形態６００に外力が印加されていないときは、第１の部分６０６と第２の部分６０８との間に、ギャップ６１６を維持することができる。ギャップ６１６は、上側板ばね７０６及び下側板ばね７０４により第１の部分６０６及び第２の部分６０８に印加された外向きの力によって、実質的に維持される場合がある。上側板ばね７０６及び下側板ばね７０４は、上側板ばね空洞部７１０及び下側板ばね空洞部７１２にそれぞれ配置される場合がある。この特定の実施形態６００は、図１〜図５Ｂを特に参照して先の実施形態において開示したような板ばね及びばね空洞部の実質的に類似の応用形態を利用するものである。さらに、フレーム６０２は、イン・フレーム実施形態６００に外力が印加されていないときに、第１の部分６０６及び第２の部分６０８がギャップ６１６を維持することが可能となるような内部幅７１６を有する場合がある。内部フレーム高７１８、及び内部フレーム長６２０（図６）は、第１の部分６０６及び第２の部分６０８の高さ及び長さよりも僅かに大きい寸法を有する場合がある。フレーム６０２は、第１の部分６０６及び第２の部分６０８の互いに近づく方向又は離れていく方向以外の方向の運動を、実質的に制限するような寸法を有している。
【００４８】
図６及び図７のイン・フレーム実施形態６００は、本明細書において開示した先の実施形態において説明されたものと同様に、部屋６１４、分割器（図示せず）、及び研磨剤コーティング（図示せず）を含む。さらに、イン・フレーム実施形態は、先の実施形態と実質的に同じように機能する場合がある。
【００４９】
図８Ａから図８Ｄまでは、どのようにすれば、点火装置１０２を使用して、敏感な先端部２１１を有するたばこ２１０を点火することができるかを示している。図８Ａは、拡張位置にある点火装置１０２内の部屋２１２に整列された、敏感な先端部２１１を有するたばこ２１０を示している。図８Ｂは、敏感な先端部（図示せず）が第１の分割器３２１及び／又は第２の分割器３２２に接触するまで点火装置１０２の中に挿入された、敏感な先端部（図示せず）を有するたばこ２１０を示している。図８Ｃは、敏感な先端部（図示せず）を有するたばこ２１０を部屋（図示せず）内の研磨剤コーティング３２４及び３２５と実質的に接触させることが可能な閉鎖位置にある点火装置を示している。図８Ｄは、圧縮された部屋２１２から力で取り除かれた後の着火されたたばこ２１０を示し、研磨剤３２４及び３２５によって、敏感な先端部（図示せず）を点火することが可能であることを示している。
【００５０】
本出願の原理が組み込まれた種々の実施形態を上で説明したが、本出願は、開示した実施形態に限定されない。むしろ、本出願は、その一般的原理を使用する本出願の如何なる変形、使用、又は改変をもカバーすることを意図している。また、本出願は、本出願が属する技術の分野において周知又は慣行の範囲内にあり、かつ添付の特許請求の範囲の制限の範囲内にもあるような、本開示からのそのような逸脱をもカバーすることを意図している。
【００５１】
本明細書において使用された用語は、単に特定の例示的実施形態を説明するためのものであり、制限されることを意図していない。本明細書において、単数形「ａ」、「ａｎ」及び「ｔｈｅ」は、文脈が明らかにそうではないことを示していない限り、複数形も含むことを意図している場合がある。用語「備える」、「備えている」、「含んでいる」、及び「有している」は、包含を意味し、したがって、記載した特徴、整数、ステップ、動作、要素、及び／又は構成要素の存在を明示するが、１以上の他の特徴、整数、ステップ、動作、要素、構成要素、及び／又はそれらのグループの存在又は追加を除外するものではない。本明細書に記載された方法、ステップ、及び動作は、実施の順序に関して特別に特定されない限り、それらが説明又は例示された特定の順序で実施されることを必ず必要とするものであるとして解釈してはならない。また、追加又は代替のステップが採用される場合もあることを理解すべきである。
【００５２】
ある要素又は層が他の要素又は層「の上にある」、「に係合される」、「に接続される」又は「に結合される」と言った場合、それは、他の要素若しくは層の直ぐ上にあり、又はそれらに直接係合され、直接接続され、又は直接結合される場合もあれば、介在する要素又は層が存在する場合もある。逆に、ある要素が他の要素又は層「の直ぐ上にある」、「に直接係合される」、「に直接接続される」、又は「に直接結合される」と言った場合、介在する要素又は層は存在しない場合がある。要素間の関係を表すために使用された他の用語も、同様の形で解釈されなければならない（例えば、「間に」と「間に直接」、「隣りに」と「直ぐ隣りに」など）。本明細書において、用語「及び／又は」は、関連して列挙された項目のうちの任意のもの、及び１以上の全ての組み合わせを含む。
【００５３】
本明細書では、第１、第２、第３等の用語が、種々の要素、構成要素、領域、層、及び／又は断片を表すために使用されることがあるが、それらの要素、構成要素、領域、層、及び／又はセクションが、それらの用語によって制限されてはならない。それらの用語は単に、ある要素、構成要素、領域、層、又はセクションを他の領域、層、又はセクションから区別するために使用される場合がある。「第１」、「第２」及び他の数値的用語が本明細書において使用された場合、文脈によって明示されていない限り、それらは、配列又は順序を示すものではない。すなわち、以下に記載される第１の要素、構成要素、領域、層、又はセクションは、例示的実施形態の教示から外れることなく、第２の要素、構成要素、領域、層、又はセクションと呼ばれることができる。
【００５４】
本明細書では、図面に示されるような他の要素（複数可）又は特徴（複数可）に対するある要素又は特徴の関係を説明するための説明を容易にするために、「内側の」、「外側の」、「下にある」、「下に」、「下側の」、「上に」、及び「上側の」といった空間的相対的用語を使用している場合がある。例えば、図面上の装置が回転された場合、他の要素又は特徴の「下に」又は「下にある」ものとして記載された要素は、今度は、他の要素又は特徴の「上に」配置されることになるであろう。したがって、例示した用語「下に」は、「上に」と「下に」の両方の配置を包む場合がある。装置は、それ以外の向きに配置される場合もある（９０度回転された向きに、又は他の向きに）。
【図１】
2016514243.tif 000003
【図２】
2016514243.tif 000004
【図３Ａ】
2016514243.tif 000005
【図３Ｂ】
2016514243.tif 000006
【図４Ａ】
2016514243.tif 000007
【図４Ｂ】
2016514243.tif 000008
【図５Ａ】
2016514243.tif 000009
【図５Ｂ】
2016514243.tif 000010
【図６】
2016514243.tif 000011
【図７】
2016514243.tif 000012
【図８Ａ】
2016514243.tif 000013
【図８Ｂ】
2016514243.tif 000014
【図８Ｃ】
2016514243.tif 000015
【図８Ｄ】
2016514243.tif 000016
【国際調査報告】
2016514243.tif 000017
2016514243.tif 000018